(57)【要約】      （修正有）【課題】流体を注ぐ時、流体が飛んだり揺れる現象を防止した流体貯蔵容器を提供する。【解決手段】流体貯蔵容器１００は、流体を貯蔵する容器本体１１０と、前記容器本体１１０に貯蔵された流体を吐出するために上側に設けられた吐出口１２０とを含む流体貯蔵容器１００において、前記吐出口１２０は、前記容器本体１１０に対して上方にいくほど内径が大きくなるコーン形状のテーパ部１２３を備えることを特徴とする。【選択図】図３
0003182264.tif 000002
【実用新案登録請求の範囲】
【請求項１】
流体を貯蔵する容器本体と、前記容器本体に貯蔵された流体を吐出するために前記容器本体の上側に設けられた吐出口とを含む流体貯蔵容器において、
前記吐出口は、前記容器本体に対して上方にいくほど内径が大きくなるコーン形状のテーパ部を備えることを特徴とする流体貯蔵容器。
【請求項２】
前記容器本体の上面に突設された取っ手と、
前記容器本体の下部に、前記取っ手が挿入可能な大きさの第１溝部とが設けられることを特徴とする請求項１に記載の流体貯蔵容器。
【請求項３】
前記容器本体の下部には、前記吐出口を密閉する容器蓋が挿入可能な大きさの第２溝部が設けられることを特徴とする請求項２に記載の流体貯蔵容器。
【請求項４】
前記容器本体の側面には、補助取っ手が設けられることを特徴とする請求項１〜３のいずれか１項に記載の流体貯蔵容器。
【考案の詳細な説明】
【技術分野】
【０００１】
本考案は、流体貯蔵容器に関し、特に、流体の吐出時、流体が飛んだり揺れる現象を減少させることができ、複数の貯蔵容器を多段で積載する時、安定的に積載することができる流体貯蔵容器に関する。
【背景技術】
【０００２】
一般的な流体貯蔵容器は、流体を貯蔵する内部空間を有する容器本体と、貯蔵された流体を外部に吐出する吐出口と、容器本体の上面に突出した把持用取っ手とを含んでいる。
【０００３】
このような従来の流体貯蔵容器の一例が、図１および図２に概略的に示されている。図示のように、従来の流体貯蔵容器１０は、流体貯蔵用内部空間４を有する容器本体１の上面に、貯蔵された流体を吐出するための吐出口２を備えている。この吐出口２には、吐出口２を密閉させるための蓋（図示せず）が結合できるようにねじ部５が形成されている。また、容器本体１の上面には、容器１０を移したり使用する時、容器１０を把持するための取っ手３が設けられている。
【０００４】
しかし、図２に示すように、従来の流体貯蔵容器１０は、吐出口２の内径が一定の円筒状に形成されており、流体貯蔵容器１０を傾けて流体を注ぐ時、吐出口２から吐出される流体の流速が急激に増加する。これにより、吐出される流体が四方に飛んでしまい、使用者が吐出量を調節しにくいという問題があった。
【０００５】
また、流体を容易に注ぐためには、外部空気が流体貯蔵容器内に流入可能な通路が設けられなければならないが、従来の流体貯蔵容器１０の円筒状吐出口２は、ねじ部５を形成するために、その長さを短くすることができない。これにより、外部空気が吐出口２に容易に入ることができないため、流体の吐出時、流体貯蔵容器１０に貯蔵された流体が揺れるという問題があった。
【０００６】
さらに、取っ手３が容器本体１の上面にのみ設けられているため、使用者が流体貯蔵容器１０の重心を合わせながら傾けるのに困難があり、使用者が手首を無理に曲げなければならないという不便さが付きまとう。また、容器本体１に対して突出した吐出口２と取っ手３の形状のため、複数の流体貯蔵容器１０を上下に多段で積載することが不可能であるという問題があった。
【考案の概要】
【考案が解決しようとする課題】
【０００７】
本考案は、上述した問題を解決するために考案されたものであって、流体を注ぐ時、流体が飛んだり揺れる現象を防止することを目的とする。
【課題を解決するための手段】
【０００８】
上述した目的を達成するために、本考案にかかる流体貯蔵容器は、流体を貯蔵する容器本体と、前記容器本体に貯蔵された流体を吐出するために前記容器本体の上側に設けられた吐出口とを含む流体貯蔵容器において、前記吐出口は、前記容器本体に対して上方にいくほど内径が大きくなるコーン形状のテーパ部を備えることを特徴とする。
【０００９】
本考案にかかる流体貯蔵容器は、前記容器本体の上面に突設された取っ手と、前記容器本体の下部に、前記取っ手が挿入可能な大きさの第１溝部とが設けられることが好ましい。
【００１０】
本考案にかかる流体貯蔵容器は、前記容器本体の下部に、前記吐出口を密閉する容器蓋が挿入可能な大きさの第２溝部が設けられることが好ましい。
【００１１】
本考案にかかる流体貯蔵容器は、前記容器本体の側面に補助取っ手が設けられることが好ましい。
【考案の効果】
【００１２】
本考案によれば、吐出口がコーン形状のテーパ部を備えるため、流体を注ぐ時、流体が飛ぶ現象および揺れる現象を減少させることができる。また、容器本体の下部に、取っ手が挿入可能な大きさの溝部が設けられる場合には、複数の流体貯蔵容器を多段で積載することができるという効果がある。
【図面の簡単な説明】
【００１３】
【図１】従来の流体貯蔵容器の一例の断面図である。
【図２】図１の流体貯蔵容器から流体が吐出される状況を示す図である。
【図３】本考案の一実施形態にかかる流体貯蔵容器の斜視図である。
【図４】図３に示す流体貯蔵容器の底面図である。
【図５】図３に示す流体貯蔵容器の断面図である。
【図６】図３に示す流体貯蔵容器から流体が吐出される状況を示す図である。
【図７】図３に示す流体貯蔵容器を上下に多段で積載した場合を示す図である。
【考案を実施するための形態】
【００１４】
以下、添付した図面を参照して、本考案にかかる好ましい実施形態について具体的に説明する。
【００１５】
本実施形態は、制限的に意図されたものではなく、同一の実施形態を説明するにあたり、同一の構成については同一の名称および同一の符号が使われる。
【００１６】
図３は、本考案の一実施形態にかかる流体貯蔵容器の斜視図であり、図４は、図３に示す流体貯蔵容器の底面図である。図５は、図３に示す流体貯蔵容器の断面図であり、図６は、図３に示す流体貯蔵容器から流体が吐出される時の状況を説明するための図である。図７は、図３に示す流体貯蔵容器の複数個が上下に積載された場合を説明するための図である。
【００１７】
図３および図５を参照すれば、本考案の好ましい実施形態にかかる流体貯蔵容器１００は、内部空間１０４を有する容器本体１１０と、該容器本体１１０に貯蔵された流体（例えば、液状のソースなど）を外部に吐出するために容器本体１１０の上側に設けられた吐出口１２０とを備える。また、容器本体１１０の上面には、流体貯蔵容器１００を移したり使用する時、使用者が把持するための取っ手１１２が容器本体１１０の上面に対して突設されている。
【００１８】
吐出口１２０は、容器本体１１０に連結される首部１２２と、吐出口１２０を密閉させる容器蓋１３０にねじ式で結合されるようにねじ山が形成されているねじ部１２４と、該首部１２２とねじ部１２４との間に設けられ、容器本体１１０に対して上方にいくほど内径が大きくなるコーン形状のテーパ部１２３とを含む。
【００１９】
図６に示すように、テーパ部１２３で吐出口１２０の内径が増大するため、吐出される流体の流路断面積が大きくなる。これにより、テーパ部１２３で流体の流速が減少するため、流体が四方に飛ぶのが減少し、使用者が流体の吐出量を調節して容易に注ぐことができる。また、ねじ部１２４を別途に設けることで首部１２２を短くできるため、流体貯蔵容器１００を傾けて流体を注ぐ時、外部空気が流体貯蔵容器１００内により容易に入ることができる。したがって、流体貯蔵容器１００内での流体の揺れを減少させることができ、流体が吐出口１２０を介してより容易に吐出可能である。
【００２０】
一方、流体貯蔵容器１００の一側面には、補助取っ手１１４が設けられている。使用者が流体貯蔵容器１００を傾けて流体を注ぐ時、使用者は、容器本体の上面１１１に設けられた取っ手１１２の代わりに補助取っ手１１４を用いるか、取っ手１１２と共に補助取っ手１１４を用いることによって、より容易に流体を注ぐことができる。
【００２１】
上述したように、図１に示す従来の流体貯蔵容器１０は、容器本体１の上面にのみ取っ手３が設けられているため、流体を注ぐために使用者が流体貯蔵容器１０を傾ける時には、使用者の手首が過度に曲がるという問題が発生していた。これにより、使用者が流体貯蔵容器１０を安定的に把持することができず、流体が吐出されるにつれ、流体貯蔵容器１０の重心の移動を適切に合わせながら流体を注ぐことができなかった。したがって、流体を注ぐ時、吐出量を調節しにくいという問題があった。
【００２２】
反面、図６に示す本願考案の流体貯蔵容器１００は、補助取っ手１１４が設けられており、流体を注ぐ時、使用者が一方の手では容器本体１１０の上側に設けられた取っ手１１２を把持して容器を固定させ、他方の手では容器本体１１０の一側に設けられた補助取っ手１１４を把持して流体貯蔵容器１００の傾く角度を調節することができる。使用者が自然に流体貯蔵容器１００を把持できるようにすることにより、使用者が手首を無理に使うことなく、所望量だけの吐出量を調節して注ぐことができる。
【００２３】
一方、図４および図５に示すように、流体貯蔵容器１００の下部には、容器本体１１０の上面１１１に設けられた取っ手１１２が挿入可能な大きさの第１溝部１１６と、吐出口１２０を密閉させる容器蓋１３０が挿入可能な大きさの第２溝部１１８とが設けられている。
【００２４】
すなわち、第１溝部１１６の大きさは、その深さが流体貯蔵容器１００の上面１１１に設けられた取っ手１１２の高さより大きく、その幅が取っ手１１２の幅より広く、その長さが取っ手１１２の長さより長く形成される。また、第２溝部１１８の大きさは、その深さが容器蓋１３０の高さより大きく、その内径が容器蓋１３０の外径より大きく形成される。
【００２５】
したがって、図７に示すように、複数の流体貯蔵容器１００を上下に多段で積載する場合、隣接する２つの流体貯蔵容器のうち、下部に位置する流体貯蔵容器１００の上面１１１に設けられた取っ手１１２が、上部に位置する流体貯蔵容器１００の第１溝部１１６に挿入でき、下部に位置する流体貯蔵容器１００の容器蓋１３０が、上部に位置する流体貯蔵容器１００の第２溝部１１８に挿入できる。
【００２６】
このように、流体貯蔵容器１００の下部に第１溝部１１６および第２溝部１１８が設けられることにより、流体貯蔵容器１００を上下に多段で積載する場合、容器本体１１０に取っ手などが突出していても、隣接する流体貯蔵容器は互いに積層されて積載できる。したがって、流体貯蔵容器１００を保管するための物流倉庫などの貯蔵空間を節約することができ、流体貯蔵容器１００を安定的に積層して他の場所に効率的に運搬させることができる。
【００２７】
前記実施形態において、流体貯蔵容器１００の下部には、第１溝部１１６および第２溝部１１８が備えられているが、容器蓋１３０の高さが前記本体容器１１０の上面１１１より高くなければ、第２溝部１１８を備えなくてもよいことは勿論である。
【００２８】
また、前記実施形態において、吐出口１２０が首部１２２を備えているが、首部１２２なしに容器本体１１０から直にテーパされる形状を有してもよいことは勿論である。
【００２９】
以上で説明した本考案は、上述した実施形態および添付した図面により限定されるものではない。本考案の技術的思想を逸脱しない範囲内で様々な変形および変更が可能であることが、本考案の属する技術分野における通常の知識を有する者にとって自明である。
【符号の説明】
【００３０】
１００    流体貯蔵容器
１１０    容器本体
１１２    取っ手
１１４    補助取っ手
１１６    第１溝部
１１８    第２溝部
１２０    吐出口
１２２    首部
１２３    テーパ部
１２４    ねじ部
１３０    容器蓋
【図１】
0003182264.tif 000003
【図２】
0003182264.tif 000004
【図３】
0003182264.tif 000005
【図４】
0003182264.tif 000006
【図５】
0003182264.tif 000007
【図６】
0003182264.tif 000008
【図７】
0003182264.tif 000009